(57)【特許請求の範囲】
【請求項１】
多人数用透析装置における使用済透析液の排出に際し、各コンソールから排出された前記使用済透析液を、熱交換器を備えた一つの配管に集め、前記使用済透析液と原水との温度差を利用して、熱交換により前記原水を温めた後、該熱交換に使用された使用済透析液を排出し、さらにＲＯ排水を熱交換器に供給し、前記ＲＯ排水と原水との温度差を利用して、熱交換により前記原水を温めた後、該熱交換に使用されたＲＯ排水を排出することを特徴とする、使用済透析液の排出方法。
【請求項２】
多人数用透析装置における使用済透析液の排出に際し、各コンソールから排出された前記使用済透析液を、第１の熱交換器を備えた一つの配管に集め、前記使用済透析液とＲＯ水との温度差を利用して、熱交換により前記ＲＯ水を温めた後、該熱交換に使用された使用済透析液を排出するとともに、さらにＲＯ排水を第２の熱交換器に供給し、原水との温度差を利用して、熱交換により前記原水を温めた後、該熱交換に使用されたＲ Ｏ 排水を排出することを特徴とする、使用済透析液の排出方法。
【発明の詳細な説明】
【技術分野】
【０００１】
本発明は、多人数用透析装置における使用済透析液の排出方法に関し、より詳しくは、使用済透析液と水処理前の水道水等（以下原水という）との温度差を利用した熱交換を行った後に、使用済透析液を排出する方法に関する。
【背景技術】
【０００２】
従来、腎不全の患者や、術後の薬液注入によって水分過多症になった患者などの重篤な状態を改善するために、血液透析装置を使用する血液透析や血液濾過が行われている。
たとえば特許文献１に記載されているような、多人数用透析装置は、ＲＯ膜で水処理された水道水（ＲＯ水）などを用いて調製された透析液をヒーターなどで３０℃程度に加温してコンソールに送り、血液透析治療を行う装置であるが、多人数用透析装置においては、従来、熱交換器（小型）はコンソール毎に設けられており、使用済透析液で水道水を温める操作は、個々のコンソールに設けられた小型の熱交換器で行っていた。
【０００３】
【特許文献１】特開２００３−３１０７４９号公報
【０００４】
従って、熱効率が悪く、また、小型とはいえ個々のコンソールに熱交換器を備えることから、コスト的にも不利なものであった。
【発明の概要】
【発明が解決しようとする課題】
【０００５】
本発明は、多人数用透析装置において、使用済透析液の排出に際し、原水と使用済透析液の温度差を利用して、熱交換により原水を効率的に温める方法を提供することを目的とする。また、原水が冷たい冬期などの場合、さらにＲＯ水と原水の温度差を利用して、熱交換により原水を効率的に温める方法を提供することを目的とする。
【課題を解決するための手段】
【０００６】
本発明の多人数用透析装置における使用済透析液の排出方法は、各コンソールから排出された使用済透析液を、熱交換器を備えた一つの配管に集め、使用済透析液と原水との温度差を利用して、熱交換により原水を温めた後、この熱交換に使用された使用済透析液を排出する。この場合、さらにＲＯ排水を熱交換器に供給し、前記ＲＯ排水と原水との温度差を利用して、熱交換により前記原水を温めた後、この熱交換に使用されたＲＯ排水を排出するようにしてもよい。また、多人数用透析装置における使用済透析液の排出に際し、各コンソールから排出された前記使用済透析液を、第１の熱交換器を備えた一つの配管に集め、前記使用済透析液とＲＯ水との温度差を利用して、熱交換により前記ＲＯ水を温めた後、この熱交換に使用された使用済透析液を排出するとともに、さらにＲＯ排水を第２の熱交換器に供給し、原水との温度差を利用して、熱交換により前記原水を温めた後、この熱交換に使用されたＲＯ排水を排出する様にしてもよい。
【０００７】
以上、一般的に本発明を記述したが、より一層の理解は、いくつかの特定の実施例を参照することによって得ることができる。これらの実施例は、本明細書に例示の目的のためにのみ提供されるものであり、他の旨が特定されない限り、限定的なものではない。
【発明の効果】
【０００８】
本発明によれば、以下のような効果が期待できる。すなわち、各コンソールから排出された使用済透析液を、熱交換器を備えた一つの配管に集め、使用済透析液と原水との温度差を利用して、熱交換により原水を温めた後、この熱交換に使用された使用済透析液を排出するので、原水を水処理して得られるＲＯ水などを用いて調製される透析液の加温が少なくて済み、熱効率のよい透析治療が可能になる。冬期など原水の温度が低いときには、さらにＲＯ排水を熱交換器に供給し、前記ＲＯ排水と原水との温度差を利用して、熱交換により前記原水を温めた後、該熱交換に使用されたＲＯ排水を排出するようにすれば、熱効率はさらに向上する。
【図面の簡単な説明】
【０００９】
【図１】実施例１の排水方法を採用した多人数用透析装置を示す概略図である。
【図２】実施例２の排水方法を採用した多人数用透析装置を示す概略図である。
【図３】実施例３の排水方法を採用した多人数用透析装置を示す概略図である。
【符号の説明】
【００１０】
１  水処理装置（ＲＯタンク）
２  多人数用透析液供給装置
３１、３２、３３、３４  コンソール
４  熱交換器
５  配管
６  配管
【発明を実施するための最良の形態】
【００１１】
各コンソールから排出された使用済透析液を、熱交換器を備えた一つの配管に集め、使用済透析液と原水との温度差を利用した熱交換により原水を温めた後、この熱交換後の使用済透析液を排出するとともに、ＲＯ排水を熱交換器に供給し、前記ＲＯ排水と原水との温度差を利用して、熱交換により前記原水を温めた後、該熱交換に使用されたＲＯ排水を排出する。
【００１２】
（実施例１）
次に、本発明の実施例１について説明する。
図1は実施例１の排水方法を採用した多人数用透析装置を示す概略図である。
水処理される前の原水は、季節によって異なるが通常５〜２５℃の水温を有している。一方、多人数用透析装置に供給される透析液の温度はヒーターで加温されて３０℃前後になっており、透析治療により３３〜３５℃になる。また、ＲＯタンクで製造されるＲＯ水は２５℃前後に加温されたＲＯ原水の約５６％で、従来約４４％のＲＯ排水は無駄に廃棄されていた。
水処理装置（ＲＯタンク）１に供給された原水（２５％前後に加温されている）は、ここで例えばＲＯ水に処理され、次いで多人数用透析液供給装置２に供給され、ここで透析液の調製に使用される。調製された透析液は３０℃前後に加熱され多人数用透析装置（コンソール）３１、３２、３３、３４に供給され、透析治療に使用される。そして、使用済透析液は、熱交換器４を備えた一つの配管５に集められて熱交換器４に供給され、使用済透析液とこの熱交換器４に供給された原水との温度差を利用して、原水を温めた後、排水される。一方、熱交換器４で暖められた原水はＲＯタンク１に供給される。これにより、熱効率を２０〜３０％向上させることができる。
【００１３】
（実施例２）
図２は、実施例１の排水方法を採用した多人数用透析装置を示す概略図である。
実施例１では、使用済透析液により原水を加温する様になっているが、この装置では、さらにＲＯ排水により原水を加温する様になっている。従って、使用済透析液による原水の加温については説明を省略する。
ＲＯタンク１に供給された原水（略２５℃に加温されている）はここで処理され、約５６％がＲＯ水として多人数用透析液供給装置に供給される。一方、残りの約４４％はＲＯ排水として配管６を通って、熱交換器４に供給され、ＲＯ排水とこの熱交換器４に供給された原水との温度差を利用して、原水を温めた後、排水される。一方、熱交換器４で暖められた原水はＲＯタンク１に供給される。これにより、熱効率をさらに向上させることができる。
【００１４】
（実施例３）
図３は、実施例３の排水方法を採用した多人数用透析装置を示す概略図である。
実施例１では、使用済透析液により原水を加温する様になっており、実施例２では、さらにＲＯ排水により原水を加温する様になっているが、この装置では、この装置では、各コンソールから排出された前記使用済透析液を、第１の熱交換器を備えた一つの配管に集め、前記使用済透析液とＲＯ水との温度差を利用して、熱交換により前記ＲＯ水を温めた後、この熱交換に使用された使用済透析液を排出するとともに、さらにＲＯ排水を第２の熱交換器に供給し、原水との温度差を利用して、熱交換により前記原水を温めた後、この熱交換に使用されたＲＯ排水を排出する様になっている。
ＲＯタンク１に供給された原水（略２５℃に加温されている）はここで処理され、約５６％がＲＯ水として第１の熱交換器４１に供給され、この熱交換器４１に供給された使用済透析液との温度差を利用して温められ、多人数用透析液供給装置に供給される。一方、残りの約４４％はＲＯ排水として配管６を通って、第２の熱交換器４２に供給され、原水との温度差を利用して温められ、排水される。一方、熱交換器４で暖められた原水は加温室（図示していない）に供給され、ここで略２５℃に加温されてＲＯタンク１に供給される。
【図１】
0005838620.tif 000002
【図２】
0005838620.tif 000003
【図３】
0005838620.tif 000004